(57)【特許請求の範囲】
【請求項１】
送風用モータを運転制御する制御部と、操作部に設けた切タイマー設定スイッチと、この切タイマー設定スイッチによるタイマー時間を計測するタイマー計測手段を有し、前記制御部は前記切タイマー設定スイッチで設定されたタイマー時間と、前記タイマー時間計測手段での計測時間を比較して同一となったとき、チャイルドロックモードとしてなり、前記切タイマースイッチは所定時間のタイマー運転が設定可能で、さらに前記切タイマースイッチの設定時に、前記タイマー時間が経過すればチャイルドロックを設定して運転を停止することを特徴とする扇風機。
【発明の詳細な説明】
【技術分野】
【０００１】
本発明は、操作の不慣れな子供や老人に対してチャイルドロック機能を保つことで安心して使用できる扇風機に関する。
【背景技術】
【０００２】
従来、この種の扇風機は、チャイルドロック機能をスイッチ操作で設定するものが知られている（たとえば、特許文献１参照）。
【０００３】
以下、その扇風機において図１７〜図１９を参照しながら説明する。
【０００４】
図に示すように、扇風機本体１０１の主要部はファンモータ１０３、支柱１０４および基台１０５からなり、基台１０５上に操作部１０６を設けている。
【０００５】
図１８は操作部１０６の平面図であり、操作部１０６には入・切スイッチＳＷ１０１、風量選定スイッチＳＷ１０２、リズム風選択スイッチＳＷ１０３、タイマー設定スイッチＳＷ１０４を備え、風量がソフト、中、強を表示するＬＥＤ１０１〜ＬＥＤ１０３、タイマーの設定時間および動作時間を示すＬＥＤ１０４〜ＬＥＤ１０６が設けられている。
【０００６】
図１９は扇風機の制御系を示すブロック図であり、制御回路１１０には前記したスイッチＳＷ１０１〜ＳＷ１０４が接続されており、これらの入力によりファンモータ１０３を制御するとともに、ＬＥＤ１０１〜１０６の点灯により運転状態を表示するものである。
【０００７】
また、風量選定スイッチＳＷ１０２と動作時間設定スイッチＳＷ１０４とを同時に数秒間押すことによって、それ以前に設定していた運転モードまたは停止状態を維持し、それ以後のスイッチ操作に対しては応答しないチャイルドロック機能を有している。
【特許文献１】特開平１１−２８０６９２号公報
【発明の開示】
【発明が解決しようとする課題】
【００１２】
また、扇風機が切タイマーで停止した場合、使用者の気づかない間に、小さな子供が操作して運転を再開できるという課題があり、使用者以外は容易に再運転できないようすることが要求されている。
【００１３】
本発明は、このような従来の課題を解決するものであり、切タイマーの停止後に自動的にチャイルドロックが設定される扇風機を提供することを目的としている。
【課題を解決するための手段】
【００２３】
本発明の扇風機は上記目的を達成するために、送風用モータを運転制御する制御部と、操作部に設けた切タイマー設定スイッチと、この切タイマー設定スイッチによるタイマー時間を計測するタイマー計測手段を有し、前記制御部は前記切タイマー設定スイッチで設定されたタイマー時間と、前記タイマー時間計測手段での計測時間を比較して同一となったとき、チャイルドロックモードとしてなり、前記切タイマースイッチは所定時間のタイマー運転が設定可能で、さらに前記切タイマースイッチの設定時に、前記タイマー時間が経過すればチャイルドロックを設定して運転を停止することを特徴とするようにしたものである。
【００２４】
この手段により、切タイマーの停止後に自動的にチャイルドロックの設定がされる扇風機が得られる。
【発明の効果】
【００３３】
本発明の扇風機は上記目的を達成するために、切タイマーが働いて運転停止した後にチャイルドロック設定が自動的になされ、容易に再運転できない安全な扇風機が得られる。
【発明を実施するための最良の形態】
【００３９】
本発明の請求項１記載の発明は、送風用モータを運転制御する制御部と、操作部に設けた切タイマー設定スイッチと、この切タイマー設定スイッチによるタイマー時間を計測するタイマー計測手段を有し、前記制御部は前記切タイマー設定スイッチで設定されたタイマー時間と、前記タイマー時間計測手段での計測時間を比較して同一となったとき、チャイルドロックモードとしてなり、前記切タイマースイッチは所定時間のタイマー運転が設定可能で、さらに前記切タイマースイッチの設定時に、前記タイマー時間が経過すればチャイルドロックを設定して運転を停止することを特徴とするようにしたものであり、切タイマーにより運転停止すれば自動的にチャイルドロックモードとなり解除しない限り再運転ができないという作用を有する。
【００４３】
以下、本発明の実施の形態について図面を参照しながら説明する。
【００４４】
（参考例１）
図１（イ）は扇風機の外観斜視図を示し、図１（ロ）は基台の平面図を示している。ファン１とモータ２は支柱３と基台４より保持され、基台４表面には操作部５ａ、表示部５ｂが設けられ、基台４内にはモータ２への通電を制御する制御部５ｃが設けられている。
【００４５】
操作部５ａには操作スイッチとして運転切／入スイッチ１０、風量切換スイッチ１１、チャイルドロックスイッチ１２が設けられ、表示部５ｂには設定風量の弱、中、強を表示するＬＥＤ１３〜１５、チャイルドロックの設定状態を示すチャイルドロック表示用ＬＥＤ１６が設けられている。なお、タイマー機能については通常設けられているが、本実施形態では説明を省略している。
【００４６】
また、扇風機のプラグをコンセントに接続した状態で運転切／入スイッチ１０を１度押すとモータ２を駆動してファン１を回転させ、２度押すとファン１が停止するように構成されている。風量切換スイッチ１１により風量は順次弱，中，強に設定され、同時にＬＥＤ１３，１４，１５が順次点灯する。
【００４７】
チャイルドロックスイッチ１２を１度押すとチャイルドロックが設定されるとともに設定表示のチャイルドロック表示用ＬＥＤ１６が点灯し、２度押すとチャイルドロックは解除されチャイルドロック表示用ＬＥＤ１６が消灯する。
【００４８】
図２は扇風機の制御系を示すブロック図である。操作部５ａは前記したスイッチ１０〜１２で構成され、表示部５ｂはＬＥＤ１３〜１６で構成され、制御部５ｃは、マイクロコンピュータ２３ａと不揮発性記憶素子２４およびファンモータ駆動部２５で構成されている。また、マイクロコンピュータ２３ａは操作部５ａからの入力に応じて表示部５ｂを点灯するとともに、ファンモータ駆動部２５を制御してモータ２を駆動するものである。そして、運転中にチャイルドロックスイッチ１２を押すと、運転切／入スイッチ１０と風量切換スイッチ１１の設定状態を不揮発性記憶素子２４に記憶して運転を継続し、その後のスイッチ入力を受付けないものである。
【００４９】
上記構成において、本発明の動作について図３のフローチャートにより説明する。
【００５０】
まず、ステップ３１で不揮発性記憶素子２４の記憶を読み出し、ステップ３２でその記憶がチャイルドロック設定状態か確認し、チャイルドロック設定状態であればステップ３３へ移る。ステップ３３ではチャイルドロック表示用ＬＥＤ１６を点灯し、ステップ３４で不揮発性記憶素子２４の記憶を「設定あり」で再記憶し、ステップ３５へ進む。ステップ３５では、チャイルドロックスイッチ１２の入力が解除判定になるまでステップ３３、３４、３５を繰り返す。ステップ３２で記憶がチャイルドロック解除状態であればステップ３６へ進み、チャイルドロック表示用ＬＥＤ１６を消灯し、ステップ３７で不揮発性記憶素子２４の記憶を「設定なし」で再記憶し、ステップ３８へ進む。ステップ３８で運転切／入スイッチ１０が、運転状態の設定であればステップ３９以降へ進み、風量切換スイッチ１１による設定に応じてステップ４０〜４６の処理として、ＬＥＤ１３〜１５のいずれかを点灯するとともにファンモータ駆動部２５によりモータ２を風量切換スイッチ１１の設定に合わせた風量で運転し、ステップ４７へ進む。ステップ４７では、チャイルドロック切／入スイッチの入力を確認し、チャイルドロックの設定であればステップ３３へ戻り、チャイルドロックの設定入力がなければステップ３６へ戻る。
【００５１】
ステップ３８で運転切／入スイッチ１０による設定が、運転状態の設定でなければステップ４８へ進み、ＬＥＤ１３〜１５を消灯し、ステップ４９でファンモータ駆動部２５によりモータ２を停止させ、ステップ４７へ進む。
また、ステップ３５でチャイルドロックが解除と判定された場合、ステップ３６へ進む。
【００５２】
このように、扇風機を移動するためにプラグを抜いた場合でも不揮発性記憶素子２４によりチャイルドロックの設定状態を記憶しており、運転開始時にはステップ３１で記憶内容を読み出して再生することができるので、プラグを抜いてもチャイルドロックの設定が継持され、再度電源を入れたときに安全に使用することができる。
【００５３】
（参考例２）
本実施の形態は、外観斜視図が図１（イ）に示すものと同一であり、前記実施の形態と制御方法が異なるものである。図４は扇風機の制御系を示すブロック図であり、基台４の上面にはスイッチ１０〜１２で構成された操作部５ａと、ＬＥＤ１３〜１６で構成された表示部５ｂを有し、基台４内にマイクロコンピュータ２３ｂ、ファンモータ駆動部２５および運転時間計測手段２６からなる制御部５ｄを有している。
【００５４】
マイクロコンピュータ２３ｂは操作部５ａからの入力に応じて表示部５ｂの点灯およびファンモータ駆動部２５を制御してモータ２を運転している。運転時間計測手段２６は運転開始からの時間を計測し、所定時間が経過するとマイクロコンピュータ２３ｂがチャイルドロック設定を自動的に行うものである。
【００５５】
上記構成において、本発明の動作について図５のフローチャートにより説明する。
【００５６】
まず、ステップ６１で運転時間の計測用カウンターをクリアし、ステップ６２でチャイルドロックスイッチ１２の入力を確認し、チャイルドロックの設定であればステップ３３へ移る。ステップ３３ではチャイルドロック表示用ＬＥＤ１６を点灯し、ステップ３５へ進む。ステップ３５では、チャイルドロックスイッチ１２の入力が解除になるまでステップ３３、３５を繰り返す。ステップ６２でチャイルドロックスイッチ１２がチャイルドロック設定入力でなければステップ３６へ進み、チャイルドロック表示用ＬＥＤ１６を消灯し、ステップ３８へ進む。ステップ３８では運転切／入スイッチ１０による設定を確認し、運転状態の設定であればステップ６３へ進む。ステップ６３では運転時間のカウントアップを行いステップ３９へ進む。ステップ３９〜４６では風量切換スイッチ１１による設定が風量が弱，中，強のいずれかに応じてＬＥＤ１３，１４，１５の１つを点灯し、ステップ６４へ進む。ステップ６４で運転時間計測手段２６の計測時間が所定時間経過していればチャイルドロックを自動設定してステップ３３へ進み、所定時間経過していなければステップ６２へ戻る。
【００５７】
ステップ３８で運転切／入スイッチ１０による設定が、運転切のときはステップ６５，６６へ進み運転時間計測カウンターを停止してリセットし、さらにステップ４８，４９でＬＥＤ１３〜１５の消灯と、モータ２の停止を行い、ステップ６２へ戻る。
【００５８】
このように、万一プラグを差し込んだままチャイルドロックの設定を忘れていても、扇風機は所定の時間が経過すればチャイルドロックが設定されるので、小さな子供などが誤操作して異なる運転状態となることを未然に防ぐことができる。
【００５９】
なお、本実施例では運転開始からの経過時間のみをチャイルドロック設定の判断データとしたが、プラグ差込から停止状態を含む通電時間をチャイルドロック設定の判定データとしても同様の効果を得ることができる。
【００６０】
（実施の形態１）
図６は扇風機基台の平面図を示し、操作部５ｆとして運転の開始、終了を行うための運転切／入スイッチ１０と、風量調節用の風量切換スイッチ１１と、チャイルドロックを選択・設定するチャイルドロックスイッチ１２と、切タイマーを設定する切タイマースイッチ１７が設けられている。表示部５ｅとして設定風量の弱、中、強を表示するＬＥＤ１３〜１５、チャイルドロックの設定状態を示すチャイルドロック表示用ＬＥＤ１６、切タイマーの設定状態を示す切タイマー表示用ＬＥＤ１８が設けられている。
【００６１】
切タイマースイッチ１７は所定時間のタイマー運転が設定可能で、タイマー運転時には切タイマー表示用ＬＥＤ１８が点灯する。さらに切タイマースイッチ１７の設定時に、切タイマー時間が経過すればチャイルドロックを設定して運転を停止するものである。
【００６２】
図７は扇風機の制御系を示すブロック図であり、前記したスイッチ１０〜１２、切タイマースイッチ１７で構成された操作部５ｆと、ＬＥＤ１３〜１６、切タイマー表示用ＬＥＤ１８で構成された表示部５ｅと、マイクロコンピュータ２３ｃ、タイマー時間計測手段２６ａ、ファンモータ駆動部２５からなる制御部５ｇで構成されている。また、マイクロコンピュータ２３ｃは操作部５ｆからの入力に応じて表示部５ｅの制御を行い、ファンモータ駆動部２５を制御してモータ２の速度調整を行う。
【００６３】
上記構成において、本発明の動作について図８のフローチャートにより説明する。
【００６４】
まず、ステップ３２でチャイルドロックが設定されたか確認し、チャイルドロック設定状態であればステップ３３へ移り、チャイルドロック表示用ＬＥＤ１６を点灯し、ステップ３５でチャイルドロックスイッチ１２の入力が解除になるまでステップ３３、３５を繰り返す。ステップ３２で設定がチャイルドロック解除状態であればステップ３６へ進み、チャイルドロック表示用ＬＥＤ１６を消灯してステップ３８へ進む。ステップ３８では運転切／入スイッチ１０による設定を確認し、運転状態の設定であればステップ３９へ進む。ステップ３９〜４６では風量切換スイッチ１１による設定に応じて弱，中，強のいずれかの運転を行い、ＬＥＤ１３，１４，１５の１つを点灯し、ステップ７１へ進む。
【００６５】
ステップ７１では切タイマーが設定されているかを判断し、設定されていればステップ７２にて切タイマー用のカウンターをアップし、ステップ７３へ進む。
ステップ７３では、切タイマーの設定時間を経過したか判断し、経過している場合はステップ７４，７５で風量表示のＬＥＤを消灯し、モータ２を停止させ、さらにチャイルドロック設定を行いステップ３３へ進む。
【００６６】
ステップ７１で切タイマーが設定されていなければ、ステップ７６へ進み、切タイマー用のカウンターをリセットし、ステップ４７へ移る。ステップ４７ではチャイルドロックの設定入力を確認し、設定されている場合はステップ３３へ戻り、設定されていない場合はステップ３６へ戻る。ステップ７３で切タイマー時間が経過していなければ、ステップ４７へ進む。
【００６７】
ステップ３８で運転切／入スイッチ１０による設定が運転切の場合はステップ４８へ進み、表示部５ｅを消灯し、ステップ４９でファンモータ駆動部２５によりモータ２を停止させ、ステップ７６へ進む。
【００６８】
このように、タイマー運転が終了したときに、自動的にチャイルドロックが設定されるので、小さな子供がいる家庭で扇風機をタイマー運転した場合でも、子供のいたずらや誤操作により運転を再開しないようにして、安心して使用することができる。
【００６９】
（参考例３）
図９は扇風機基台の平面図を示し、操作部５ｉとして運転の開始、終了を行うための運転切／入スイッチ１０と、弱，中，強３段階の風量切換スイッチ１１と、チャイルドロックを選択・設定するチャイルドロックスイッチ１２と、第２のチャイルドロックを設定・解除する第２チャイルドロックスイッチ１９が設けられる。表示部５ｈとして設定風量の弱、中、強を表示するＬＥＤ１３〜１５、チャイルドロックの設定状態を示すチャイルドロック表示用ＬＥＤ１６、第２チャイルドロックの設定状態を示す第２チャイルドロック表示用ＬＥＤ２０が設けられている。
【００７０】
第２チャイルドロックスイッチ１９を１度押すと第２のチャイルドロック機能が設定され、第２チャイルドロック表示用ＬＥＤ２０が点灯する。このとき風量切換スイッチ１１は機能が制限され、弱・中の２段階の風量の切換操作のみが可能となる。
【００７１】
図１０は扇風機の制御系を示すブロック図であり、前記したスイッチ１０〜１２、第２チャイルドロックスイッチ１９で構成された操作部５ｉと、ＬＥＤ１３〜１６、第２チャイルドロック表示用ＬＥＤ２０で構成された表示部５ｈとマイクロコンピュータ２３ｄおよびファンモータ駆動部２５からなる制御部５ｊで構成されている。
【００７２】
また、マイクロコンピュータ２３ｄは操作部５ｉからの入力に応じて表示部５ｈの点灯を行い、ファンモータ駆動部２５を制御してモータ２を速調している。
【００７３】
上記構成において、本発明の主要な動作について図１１のフローチャートにより説明する。
【００７４】
チャイルドロックの補助的な設定となるステップ３２〜３６は前記実施の形態と同一であり説明を省略する。ステップ３６以降のステップ８０では第２のチャイルドロックが設定されたかを判定し、設定されていればステップ８１で第２チャイルドロック表示用ＬＥＤ２０を点灯しステップ３８へ進む。ステップ８０で第２チャイルドロックが設定されていない場合はステップ３８へ進む。
【００７５】
ステップ３８では運転切／入スイッチ１０による設定を確認し、運転状態の設定であればステップ３９へ進む。ステップ３９〜４６では風量切換スイッチ１１による設定に応じたＬＥＤ１３〜１４の点灯とモータ２の速調制御を行い、ステップ８２へ進む。ただし、ステップ４２で中運転でないと判断された場合、ステップ８４へ進む。ステップ８４では第２チャイルドロックの設定がされているかを判定し、設定されていなければステップ４５へ進む。
【００７６】
ステップ８２では第２チャイルドロックが解除されているかを判断し、解除されていればステップ８３にて第２チャイルドロックの表示２０を消灯し、ステップ４７へ進む。ステップ８２で、第２チャイルドロックが解除されていなければステップ３６へ戻る。
【００７７】
ステップ４７ではチャイルドロックの設定入力がされているかの判定を行い、入力されていなければステップ３６へ戻る。また、設定されていればステップ３３へ戻る。
【００７８】
ステップ８４で第２チャイルドロックが設定されているのであれば、ステップ４３へ進み、強運転処理はキャンセルして中運転の処理を行う。
【００７９】
ステップ３８で運転切／入スイッチ１０による設定が、運転状態の設定でなければステップ４８、４９へ進み、表示部５ｈのＬＥＤを消灯しファンモータ駆動部２５によりモータ２を停止させ、ステップ４７へ進む。
【００８０】
なお、本実施の形態では第２チャイルドロックの設定は運転時のみとしているが、停止中に行っても同様の効果が得られる。
【００８１】
このように、第２チャイルドロック機能を設けて、最大負荷となる強風機能のみを使用不可とすることにより、通常のチャイルドロックより実用的な使い方ができるとともに、保護者がいないときや冷房中に誤って操作しても必要以上の強風にさらされることがなく、体が冷え過ぎず小さな子供や老人のいる家庭で安心して使用することができる。
【００８２】
（参考例４）
図１２は扇風機の基台平面図を示し、操作部５ｋには運転の開始、終了を行うための運転切／入スイッチ１０と、風量調節用の風量切換スイッチ１１と、チャイルドロックを選択・設定するチャイルドロックスイッチ１２が設けられている。表示部５ｌには設定風量の弱、中、強を表示するＬＥＤ１３〜１５、チャイルドロックの設定状態を示すチャイルドロック表示用ＬＥＤ１６、第２チャイルドロックの設定状態を示す第２チャイルドロック表示用ＬＥＤ２０が設けられている。
【００８３】
図１３に示すように制御部５ｍは、マイクロコンピュータ２３ｅおよびファンモータ駆動部２５で構成されている。マイクロコンピュータ２３ｅは操作部５ｋからの入力に応じて表示部５ｌの点灯を行い、ファンモータ駆動部２５を制御してモータ２を速調している。
【００８４】
チャイルドロックスイッチ１２と風量切換スイッチ１１は同時に押すと第２のチャイルドロック機能が設定され、第２チャイルドロック表示用ＬＥＤ２０が点灯する。このとき風量切換スイッチ１１にて、弱・中の２段階の風量のみが切換可能となる。
【００８５】
上記構成において、本発明の動作は図１１のフローチャートに示す通りであり、前記実施の形態で説明したものと略同一であるが、ステップ８０、８２、８４に関する第２のチャイルドロック設定と解除の操作方法が異なる。
【００８６】
すなわち、第２のチャイルドロック機能を設定するときは、チャイルドロックスイッチ１２と風量切換スイッチ１１の同時押しをすることにより、第２チャイルドロック表示用ＬＥＤ２０を点灯して強運転を制限した第２のチャイルドロックの運転モードに入る。また、第２のチャイルドロック機能を解除するときは、再びチャイルドロックスイッチ１２と風量切換スイッチ１１を同時押しすることにより、第２チャイルドロック表示用ＬＥＤ２０を消灯して通常の運転モードに入る。
【００８７】
なお、本実施の形態では第２のチャイルドロックの設定は、チャイルドロックスイッチ１２と風量切換スイッチ１１の同時押しとしているが、チャイルドロックスイッチ１２と他のスイッチの組み合わせでも同様の効果が得られる。
【００８８】
このように、スイッチを増やさずに第２チャイルドロックの設定および解除を容易に分かりやすくおこなうことができ、部品点数を削減してコストアップを防ぐとともに操作部の省スペース化を図ることができる。
【００８９】
（参考例５）
図１４は扇風機基台の平面図を示し、操作部５ｐとして運転の開始、終了を行うための運転切／入スイッチ１０、風量調節用の風量切換スイッチ１１、チャイルドロックを設定するチャイルドロックスイッチ１２、第２のチャイルドロックを設定・解除する第２チャイルドロックスイッチ１９が設けられている。表示部５ｎとして設定風量の弱、中、強を表示するＬＥＤ１３〜１５、チャイルドロックの設定状態を示すチャイルドロック表示用ＬＥＤ１６が設けられている。
【００９０】
図１６に示すように操作部５ｐは、マイクロコンピュータ２３ｆおよびファンモータ駆動部２５で構成されている。マイクロコンピュータ２３ｆは操作部５ｐからの入力に応じて表示部５ｎの点滅、およびファンモータ駆動部２５の制御によるモータ２の駆動を行っている。
【００９１】
チャイルドロックスイッチ１２は１度押すとチャイルドロック機能が設定され、第２チャイルドロック表示用ＬＥＤ２０が点灯し、小さな子供が操作できない状態となる。
【００９２】
第２チャイルドロックスイッチ１９は１度押すと強運転は不可とした風量の切換を制限する第２のチャイルドロック機能が設定されるとともに、第２チャイルドロック表示用ＬＥＤ２０を点滅表示する。第２のチャイルドロックスイッチ１９をもう１度押すと第２のチャイルドロックはキャンセルされ、第２チャイルドロック表示用ＬＥＤ２０は消灯する。
【００９３】
このように、表示部のＬＥＤ数を増やさずに第２チャイルドロック設定を点滅表示することにより視認性を高めて機能を容易に識別できるとともに、表示部の省スペース化を図ることができる。
【００９４】
なお、本実施の形態では第２のチャイルドロックスイッチ１９を設けて操作するようにしているが、図１６に示すようにチャイルドロックスイッチ１２と風量切換スイッチ１１を同時押しするようにして、第２のチャイルドロックスイッチを削減することができ、更なるコストダウンと表示部の省スペース化を図ることができる。
【産業上の利用可能性】
【００９５】
小さな子供や老人のいる家庭で、空調機器の最大送風機能を制御する第２のチャイルドロック機能を設けることにより、誤操作や誤使用による人体に対して負担の大きな冷やし過ぎなどの使い方を防ぐ用途にも適用できる。
【図面の簡単な説明】
【００９６】
【図１】（イ）参考例１の扇風機の外観斜視図（ロ）同操作部平面図
【図２】同ブロック回路図
【図３】同フローチャート
【図４】参考例２のブロック回路図
【図５】同フローチャート
【図６】本発明の実施の形態１の扇風機の操作部平面図
【図７】同実施の形態１のブロック回路図
【図８】同フローチャート
【図９】同操作部平面図
【図１０】参考例３のブロック回路図
【図１１】参考例３および４のフローチャート
【図１２】参考例４の操作部平面図
【図１３】同ブロック回路図
【図１４】参考例５の操作部平面図
【図１５】同ブロック回路図
【図１６】参考例５の他の操作部平面図
【図１７】従来の扇風機の外観斜視図
【図１８】同扇風機の操作部平面図
【図１９】同ブロック回路図
【符号の説明】
【００９７】
２      モータ
５ａ    操作部
５ｂ    表示部
５ｃ    制御部
５ｄ    制御部
５ｅ    表示部
５ｆ    操作部
５ｇ    制御部
５ｈ    表示部
５ｉ    操作部
５ｊ    制御部
５ｋ    操作部
５ｌ    表示部
５ｍ    制御部
５ｎ    表示部
５ｐ    操作部
５ｑ    制御部
１１    風量切換スイッチ
１２    チャイルドロックスイッチ
１６    チャイルドロック表示用ＬＥＤ
１７    切タイマースイッチ
１９    第２チャイルドロックスイッチ（送風制限モード開始手段）
２４    不揮発性記憶素子
２６    運転時間計測手段
２６ａ  タイマー時間計測手段
【図１】
0004774673.tif 000002
【図２】
0004774673.tif 000003
【図３】
0004774673.tif 000004
【図４】
0004774673.tif 000005
【図５】
0004774673.tif 000006
【図６】
0004774673.tif 000007
【図７】
0004774673.tif 000008
【図８】
0004774673.tif 000009
【図９】
0004774673.tif 000010
【図１０】
0004774673.tif 000011
【図１１】
0004774673.tif 000012
【図１２】
0004774673.tif 000013
【図１３】
0004774673.tif 000014
【図１４】
0004774673.tif 000015
【図１５】
0004774673.tif 000016
【図１６】
0004774673.tif 000017
【図１７】
0004774673.tif 000018
【図１８】
0004774673.tif 000019
【図１９】
0004774673.tif 000020